(57)【要約】【課題】内蔵した磁石を錆にくくすることのできる磁石保持布片及びこれを備えた製品を提供すること。【解決手段】本発明に係る磁石保持布片１は、磁石５を密封する防水層７を有することを特徴とし、この磁石保持布片１において、二枚の基布３，４の間に前記防水層７が設けられていてもよい。また、本発明に係る製品は、上記磁石保持布片１が縫い付けられたことを特徴としている。【選択図】図３
2019031766.tif 000002
【特許請求の範囲】
【請求項１】
磁石を密封する防水層を有することを特徴とする磁石保持布片。
【請求項２】
二枚の基布の間に前記防水層が設けられている請求項１に記載の磁石保持布片。
【請求項３】
請求項１または２に記載の磁石保持布片が縫い付けられたことを特徴とする製品。
【発明の詳細な説明】
【技術分野】
【０００１】
本発明は、例えば、布に磁石を内蔵させた磁石保持布片及びこれを備えた製品に関する。
【背景技術】
【０００２】
従来、磁石が取り付けられた肌着や健康衣料が提案されている（例えば特許文献１、２）。
【先行技術文献】
【特許文献】
【０００３】
【特許文献１】特開２０００−３１４００１号公報
【特許文献２】特公平７−１０２２３２号公報
【発明の概要】
【発明が解決しようとする課題】
【０００４】
しかし、従来の肌着や健康衣料では、洗濯や汗で磁石が錆びることについて考慮されていない。
【０００５】
本発明は上述の事柄に留意してなされたもので、その目的は、内蔵した磁石を錆にくくすることのできる磁石保持布片及びこれを備えた製品を提供することにある。
【課題を解決するための手段】
【０００６】
上記目的を達成するために、本発明に係る磁石保持布片は、磁石を密封する防水層を有する（請求項１）。
【０００７】
上記磁石保持布片において、二枚の基布の間に前記防水層が設けられていてもよい（請求項２）。
【０００８】
一方、上記目的を達成するために、本発明に係る製品は、請求項１または２に記載の磁石保持布片が縫い付けられたことを特徴としている（請求項３）。
【発明の効果】
【０００９】
本願発明では、内蔵した磁石を錆にくくすることのできる磁石保持布片及びこれを備えた製品が得られる。
【００１０】
すなわち、本願の各請求項に係る発明の磁石保持布片では、防水層が磁石を密封することにより、磁石保持布片に水がかかっても磁石が濡れることは防止され、内蔵した磁石を錆にくくすることができる。
【図面の簡単な説明】
【００１１】
【図１】（Ａ）及び（Ｂ）は、本発明の一実施の形態に係る磁石保持布片の構成を概略的に示す平面図及び側面図である。
【図２】（Ａ）及び（Ｂ）は、前記磁石保持布片を備えた製品の一例の構成を概略的に示す前方斜視図及び後方斜視図である。
【図３】前記磁石保持布片の構成を概略的に示す部分拡大分解縦断面図である。
【図４】前記磁石保持布片の変形例の構成を概略的に示す部分拡大分解縦断面図である。
【発明を実施するための形態】
【００１２】
本発明の実施の形態について図面を参照しながら以下に説明する。
【００１３】
図１（Ａ）及び（Ｂ）に示す磁石保持布片１は、図２（Ａ）及び（Ｂ）に示す脚用サポーター２（衣類の一例）の前後の内側に縫い付けられるものであり、図３に示す分解構造を有している。
【００１４】
以下、磁石保持布片１の構造の説明を兼ねて、磁石保持布片１の製造方法について説明する。
【００１５】
図３に示すように、磁石保持布片１は、二枚の防水布３、４の間に磁石（永久磁石）５を挟み込んで作成したものであり、各防水布３，４は、基布６と防水層７（本例ではポリウレタンフィルム）を接着剤８で接合して得られ、うち一方の防水布３の防水層７の外面にはホットメルト接着剤９を設けてある。なお、図示例では、基布６と防水層７とを接着剤８により点接着してあるが、線接着あるいは面接着（全面接着）するようにしてもよい。
【００１６】
そして、磁石５を二枚の防水布３、４の間に配し、熱プレス機で加圧加熱することにより、二枚の防水布３，４の間に磁石５が挟まれた状態でこれらが一体化され、磁石保持布片１が得られる。このようにして得られる磁石保持布片１では、防水布３の基布６と防水布４の基布６の間の防水層７，７が磁石５を密封することになり、磁石保持布片１に水がかかっても磁石５が濡れることは防止される。従って、この磁石保持布片１では、内蔵した磁石５を錆にくくすることができる。
【００１７】
斯かる磁石保持布片１は、図２（Ａ）及び（Ｂ）に示すように、脚用サポーター２に縫い付けられるのであり、必要に応じ、脚用サポーター２への縫い付け位置を変更したり、脚用サポーター２から取り外したりすることも容易である。
【００１８】
磁石保持布片１の各部材の寸法や素材等は、磁石保持布片１が上記のようにして用いられることを考慮して、適宜決めればよい。
【００１９】
ちなみに、本例の磁石５は、平面視が直径４ｍｍ±１ｍｍの円形で、厚みが１．８ｍｍ±０．１ｍｍの薄い円柱状をしている。また、磁石保持布片１に磁石５を一列に計四つ並べて設けてあり、各磁石５の間隔は１２ｍｍ±４ｍｍとしてある。
【００２０】
二枚の防水布３，４の基布６，６の素材としては、綿やポリエステル等を挙げることができ、二枚の防水布３，４の基布６，６の素材は同一であっても異なっていてもよい。
【００２１】
また、熱プレス機による加圧加熱の条件は、用いる素材等に応じて適宜に設定すればよく、本例では、圧力３００ｇ／ｃｍ２  、温度１７０℃での熱プレスを１回目は２０秒、冷めてからの２回目を１５秒行っているが、圧力、温度、時間、回数はこれに限らない。
【００２２】
なお、本発明は、上記の実施の形態に何ら限定されず、本発明の要旨を逸脱しない範囲において種々に変形して実施し得ることは勿論である。例えば、以下のような変形例を挙げることができる。
【００２３】
図１（Ａ）及び（Ｂ）には、磁石保持布片１（防水布３，４）を矩形状の布片にした例を示しているが、これに限らず、他の四角形さらには他の多角形や、円形、楕円形等としてもよい。
【００２４】
上記実施の形態では、磁石５を薄い円柱形としているが、他の形状としてもよい。ただし、強力な磁力を得るという点からは、円柱かそれに近い形状とするのが望ましい。また、一般に強い磁力が得られるという点から、磁石５には焼結磁石を用いるのが好ましいが、ボンド磁石を用いるようにしてもよい。いずれの場合も、磁石５の磁極が磁石保持布片１の厚み方向に形成されるように各磁石５を配置するのが好ましい。
【００２５】
図１（Ａ）及び（Ｂ）には、磁石５を一列に四つ設けた例を示しているが、磁石５の数は、四つ以外でもよく、例えば磁石保持布片１に磁石５を一つのみ設けるようにしてもよい。また、磁石５を複数設ける場合に、必ずしも一列に並べる必要はなく、複数列に並べてもよいし、格子状、千鳥状やランダム状に配置してもよい。但し、磁石５を規則的に並べる場合、隣り合う磁石５の磁極の向きが逆になるようにしておくのが好ましい。
【００２６】
上記実施の形態では、ホットメルト接着剤９を介して二枚の防水布３，４を接合しているが、これに限らず、例えば熱融着時に防水性を保てる熱可塑性樹脂で防水層７を構成し、ホットメルト接着剤９を用いず、防水層７を熱融着することにより二枚の防水布３，４を接合するようにしてもよい。また、二枚の防水布３，４を、加熱することなく、接着剤の塗布や加圧等によって接合するようにしてもよい。
【００２７】
磁石保持布片１は、全体として透湿性や通気性を有するものであってもよいし、有していなくてもよい。上記実施の形態の例で言えば、二枚の防水布３，４の各基布６は通常透湿性・通気性を有し、点接着の場合には接着剤８によって形成される接着層も透湿性・通気性を有することになる。従って、二つの防水層７と、ホットメルト接着剤９によって形成されるホットメルト層とがともに透湿性・通気性を有していれば、磁石保持布片１は、全体として透湿性や通気性を有することになる。但し、この場合、磁石５への水分の接触を完全に断つことはできないため、磁石５の錆を完全に防止することは困難となるが、そうであっても、二つの防水層７による防水効果により、磁石５を錆び難くすることは可能である。なお、防水性を有し、かつ、透湿性を有する素材（ポリウレタンフィルム等）は公知である。
【００２８】
また、二つの防水層７と、ホットメルト接着剤９によって形成されるホットメルト層との何れかが透湿性・通気性を有していない場合であっても、例えば、図４に示すように、二つの防水層７と、ホットメルト層とを磁石５を覆う部分のみに設けるようにすれば、磁石保持布片１に透湿性や通気性を持たせることができる。この場合、防水層７及びホットメルト層が存在しない部分において、二枚の防水布３，４の基布６どうしを接着剤等によって接合してもしなくてもよい。但し、二枚の防水布３，４の剥離防止等の観点から、少なくとも磁石保持布片１の外周部においては、基布６どうしを接合してあることが好ましい。
【００２９】
また、磁石保持布片１が全体として透湿性や通気性を有していない場合であっても、例えば磁石保持布片１における磁石５を避けた位置に磁石保持布片１を厚み方向に貫く貫通孔を設けることにより、透湿性や通気性を持たせることは可能である。
【００３０】
磁石保持布片１を縫い付ける製品としては、脚用サポーター２に限らず、例えば、他のサポーター、インナーウエア、靴下、Ｔシャツ等の上衣、スラックス等の下衣、帽子、腹巻、リストバンド等のバンド、といった衣類の他、枕（枕カバー）、シーツ等の寝具類等を挙げることができる。そして、これらの製品に縫い付ける磁石保持布片１の位置や個数は適宜に設定可能である。
【００３１】
また、磁石保持布片１は、主として磁石５による健康増進効果を期待して使用してもよいのは勿論であるが、例えば、名札、バッジや装身具（例えば、アクセサリー）等を衣類等の所定の箇所に着脱自在とするために用いることも可能である。この場合、衣類等の適宜の位置に磁石保持布片１を縫い付けておくとともに、この衣類等に着脱しようとする名札等に、磁石保持布片１の磁石５に磁力でくっつけることのできる磁石や鉄片等を設けておけばよい。そして、この場合、磁力による結合保持の確実性から考えれば、磁石保持布片１は衣類等の外側に設けておくのが望ましいが、生地が十分薄い場合や強い磁力が得られる場合には、衣類等の内側に設けてあってもよい。
【００３２】
なお、本明細書で挙げた変形例どうしを適宜組み合わせてもよいことはいうまでもない。
【符号の説明】
【００３３】
１    磁石保持布片
２    脚用サポーター
３    防水布
４    防水布
５    磁石
６    基布
７    防水層
８    接着剤
９    ホットメルト接着剤
【図１】
2019031766.tif 000003
【図２】
2019031766.tif 000004
【図３】
2019031766.tif 000005
【図４】
2019031766.tif 000006